(57)【要約】  空気調和機１００は、略直方体形状に形成された室内機５０の本体筐体部１０を備えている。本体筐体部１０は、本体下面１０ｅに本体吸込口１０ｃが形成され、各本体側面１０ｂに本体吹出口１０ｄが形成されている。本体筐体部１０には、遠心ファン１、遠心ファン１を回転自在に駆動するファンモータ１５、及び、平面視において遠心ファン１の外周を囲むように配置された室内熱交換器１６が収納されている。本体吹出口１０ｄのそれぞれには、ダクト１９が接続される本体側ダクト接続部２１ａが突設されたジョイント２１が設けられている。さらに、吹出口３０ａが形成されている。ダクト１９が接続される吹出側ダクト接続部３０ｃが突設された複数の吹出ユニット３０を、空気調和機１００は備えている。そして、ジョイント２１のうちの少なくとも１つは、複数の本体側ダクト接続部２１ａが形成されている。
2015506450.tif 000002
【特許請求の範囲】
【請求項１】
部屋の天井に配置される空気調和機であって、
略直方体形状をしており、下面側に本体吸込口が形成され、四方の側面に本体吹出口が形成された室内機の本体筐体部と、
該本体筐体部の内部に設けられた遠心ファンと、
該遠心ファンを回転自在に駆動するファンモータと、
前記本体筐体部の内部に設けられ、平面視において前記遠心ファンの外周を実質的に囲むように配置された室内熱交換器と、
前記本体吹出口のそれぞれに設けられ、ダクトが接続される本体側ダクト接続部が突設されたジョイントと、
前記ダクトが接続される吹出側ダクト接続部が設けられ、前記ダクトを介して前記本体側ダクト接続部のいずれかに接続されるものであり、下面側に吹出口が形成された複数の吹出ユニットと、
を備え、
前記ジョイントのうちの少なくとも１つは、複数の前記本体側ダクト接続部が形成されたものであり、
前記本体筐体部の各側面には前記ジョイントを介して少なくとも１本の前記ダクトを接続することができ、
前記本体筐体部全体としては少なくとも５本の前記ダクトを接続することができる空気調和機。
【請求項２】
同一の前記ジョイントに突設された複数の前記本体側ダクト接続部は、
平面視において、隣り合う前記本体側ダクト接続部の先端部が互いに離れるように突出した請求項１に記載の空気調和機。
【請求項３】
前記本体吹出口は、矩形状に開口し、
前記本体側ダクト接続部は、断面が丸形状となっており、
前記ジョイントは、前記本体吹出口との接続部から前記本体側ダクト接続部にかけて、矩形状から円形状に徐々に変形して断面積が縮小する変形部を有する請求項１に記載の空気調和機。
【請求項４】
前記室内熱交換器は、平面視において複数に分割された熱交換器によって構成された請求項１に記載の空気調和機。
【請求項５】
複数に分割された前記熱交換器のそれぞれに、前記熱交換器に流入する、あるいは前記熱交換器から流出した冷媒を膨張させる絞り弁を接続した請求項４に記載の空気調和機。
【請求項６】
部屋の天井に配置される空気調和機の設置構成であって、
前記空気調和機は、
略直方体形状をしており、下面側に本体吸込口が形成され、四方の側面に本体吹出口が形成された室内機の本体筐体部と、
該本体筐体部の内部に設けられた遠心ファンと、
該遠心ファンを回転自在に駆動するファンモータと、
前記本体筐体部の内部に設けられ、平面視において前記遠心ファンの外周を実質的に囲むように配置された室内熱交換器と、
前記本体吹出口のそれぞれに設けられ、ダクトが接続される本体側ダクト接続部が突設されたジョイントと、
前記ダクトが接続される吹出側ダクト接続部が設けられ、前記ダクトを介して前記本体側ダクト接続部のいずれかに接続されるものであり、下面側に吹出口が形成された複数の吹出ユニットと、
を備え、
前記ジョイントのうちの少なくとも１つは、複数の前記本体側ダクト接続部が形成されたものであり、
前記本体筐体部の各側面には前記ジョイントを介して少なくとも１本の前記ダクトを接続することができ、
前記本体筐体部全体としては少なくとも５本の前記ダクトを接続することができ、
前記本体筐体部を部屋の中央部分に設置し、
前記吹出ユニットを前記本体筐体部から離して設置し、
前記本体側ダクト接続部と前記吹出側ダクト接続部とを前記ダクトで接続した空気調和機の設置構成。
【請求項７】
前記空気調和機は、前記本体筐体部の前記本体吸込口と対向配置される吸込グリルを有する化粧パネルを更に備え、
前記天井がグリッド天井であり、
前記本体筐体部は、前記グリッド天井の天井裏に配置され、
前記化粧パネルは、前記グリッド天井の枠と略同一寸法で形成され、
前記化粧パネルの下面側と前記グリッド天井の下面側とが略同一平面上に配置された請求項６に記載の空気調和機の設置構成。
【請求項８】
請求項１に記載の空気調和機の設置構成であって、
複数の前記本体側ダクト接続部が形成された前記ジョイントは、平面視において最も長い辺となる部屋の壁面に対向する前記本体筐体部の側面の前記本体吹出口に、少なくとも設けられた空気調和機の設置構成。
【請求項９】
部屋の天井に配置される空気調和機であって、
略直方体形状をしており、下面側に本体吸込口が形成され、四方の側面に本体吹出口が形成された室内機の本体筐体部と、
該本体筐体部の内部に設けられた遠心ファンと、
該遠心ファンを回転自在に駆動するファンモータと、
前記本体筐体部の内部に設けられ、平面視において前記遠心ファンの外周を実質的に囲むように配置された室内熱交換器と、
を備えた空気調和機。
【発明の詳細な説明】
【技術分野】
【０００１】
本発明は、空気調和機、及びこの空気調和機の設置構成に関するものである。
【背景技術】
【０００２】
従来より、部屋の天井に設置される空気調和機として、下面側に吸込口が形成され、内部にファン及び室内熱交換器が収納された室内機の本体筐体部と、下方に（天井側から室内方向に）開口する吹出口が形成された吹出ユニットと、をダクトで接続したものが提案されている。このような従来の空気調和機は、室内空気を本体筐体部に吸引して室内熱交換器と熱交換させ、熱交換後の空調空気を吹出ユニットの吹出口から室内に供給する。
【０００３】
このような構成の従来の空気調和機としては、例えば、特許文献１に記載の空気調和機がある。この特許文献１に記載の空気調和機は、天井裏に設置された室内機の本体筐体部（特許文献１では、筐体１０）と複数の吹出ユニット（特許文献１では、吹出チャンバ３０）とがダクトで接続された、いわゆるビルトインタイプと呼ばれる空気調和機である。この特許文献１に記載の空気調和機は、本体筐体部が略直方体形状に形成されており、本体筐体部の１つの側壁のみにダクトと接続される本体吹出口（つまり、空調空気を吹出ユニットに接続されたダクトに吹き出すための吹出口）が複数形成されている。つまり、各々が複数の吹出ユニットに接続された複数のダクトは、全て、本体筐体部の１つの側壁に接続される構成となっている。このため、特許文献１に記載の空気調和機は、本体筐体部が部屋の隅に設置される構成となっている。
【０００４】
また、このような構成の従来の空気調和機としては、例えば、特許文献２に記載の空気調和機もある。この特許文献２に記載の空気調和機は、天井に設置された本体筐体部（特許文献２では、ケーシング１１）は略直方体形状に形成されており、本体筐体部の少なくとも３つ以上の側壁にダクトと接続される本体吹出口（特許文献２では、吹出口２０）が形成された構成となっている。また、特許文献２に記載の空気調和機は、本体筐体部の本体吹出口には、１本のダクトしか接続できない構成となっている。
【０００５】
また、このような構成の従来の空気調和機としては、例えば、特許文献３に記載の空気調和機もある。この特許文献３に記載の空気調和機は、天井側に埋込配置された本体筐体部（特許文献３では、室内機本体１）が略直方体形状に形成されており、本体筐体部の対向する２つの側壁にダクトと接続される本体吹出口（特許文献３では、第１副吹出口１７）が形成された構成となっている。つまり、特許文献３に記載の空気調和機は、本体筐体部の対向する２つの側壁にダクトを介して接続された２つの吹出ユニット（特許文献３では、吹出口ユニット３２）を備えている。また、特許文献３に記載の空気調和機は、室内熱交換器（特許文献３では、熱交換器１５）が平面視略矩形状に形成されている。そして、この室内熱交換器は、平面視において、ファンを囲むように本体筐体部に収納されている。また、特許文献３に記載の空気調和機は、本体筐体部の下面側に開口部が形成され、この下面側開口部を閉塞する化粧パネル（特許文献３では、吹出パネル２）を備えている。この化粧パネルには、平面視において室内熱交換器の内側となる位置に吸込口が形成されている。また、この化粧パネルには、平面視において室内熱交換器と本体筐体部の側壁との間となる位置に、本体筐体部の側壁に沿って４つの吹出口（特許文献３では、主吹出口２２）も形成されている。つまり、特許文献３に記載の空気調和機は、吸込口を取り囲むように形成された吹出口が本体筐体部にも形成された構成となっている。このため、室内熱交換器で熱交換した空調空気は、吹出ユニットの吹出口からのみならず、本体筐体部に形成された吹出口（吸込口を取り囲むように形成された吹出口）からも室内へ吹き出される構成となっている。
【先行技術文献】
【特許文献】
【０００６】
【特許文献１】特開２００９−１５０５７８号公報（段落［００１０］，［００１２］、図１，２）
【０００７】
【特許文献２】特開２００１−２７４２８号公報（段落［００２７］、図１〜３）
【０００８】
【特許文献３】特許第４６０４３１３号公報（段落［０１０３］〜［０１０８］、図１７，１８）
【発明の概要】
【発明が解決しようとする課題】
【０００９】
特許文献１に記載の空気調和機は、室内機の本体筐体部が部屋の隅に設置される構成、つまり、室内機の吸込口が部屋の隅に配置される構成となっている。このため、部屋内の本体筐体部から遠い領域では空気がよどみ気味となるので、部屋内の空気は循環しづらく、快適性が悪い（部屋内を快適な環境にできない）という問題点があった。
【００１０】
また、特許文献１に記載の空気調和機は、部屋全体を空調するために、本体筐体部が設置された側の隅とは反対側の隅に吹出ユニットを設置することがある。このような場合、本体筐体部と吹出ユニットとを接続するには長いダクトが必要となり、ダクトの通風抵抗が増加してしまうという問題点があった。仮に、本体筐体部を部屋の中央部に設置すればダクトが長くなることを防止できるが、本体吹出口が形成された本体筐体部の側壁と逆側に吹出ユニットを設置しようとした場合、ダクトを１８０°折り曲げる必要が生じるため、ダクトの通風抵抗がさらに増加してしまう。以上の結果、特許文献１に記載の空気調和機は、ダクトの通風抵抗が増加してしまうので、必要な送風量を維持するためにファンを回転自在に駆動するファンモータのトルクが増加し、ファンモータの消費電力が増加してしまうため、省エネルギー性が悪化してしまう（エネルギー効率が悪い）という問題点があった。また、ファンが高回転となり、騒音が悪化してしまうという問題点もあった。
【００１１】
また、特許文献２に記載の空気調和機は、本体筐体部の各本体吹出口には１本のダクトしか接続できない構成となっているので、室内熱交換器を通過した空調空気が本体筐体部の側壁に衝突してしまい、通風抵抗が増加する。このため、特許文献２に記載の空気調和機は、必要な送風量を維持するためにファンを回転自在に駆動するファンモータのトルクが増加し、ファンモータの消費電力が増加してしまうため、省エネルギー性が悪化してしまう（エネルギー効率が悪い）という問題点があった。また、ファンが高回転となり、騒音が悪化してしまうという問題点もあった。
【００１２】
また、特許文献２に記載の空気調和機は、吹出ユニットを４つしか備えることができないので、つまり、空調空気を室内に供給する吹出口が４つしかないので、部屋内における温度差が大きくなってしまい、快適性が悪い（部屋内を快適な環境にできない）という問題点があった。
【００１３】
また、特許文献３に記載の空気調和機は、吸込口を取り囲むように形成された吹出口が本体筐体部にも形成された構成となっているので、本体筐体部の吹出口から吹き出された空調空気がすぐに吸込口から吸い込まれてしまう。このため、特許文献３に記載の空気調和機は、部屋内を空調しづらくなるショートサイクルが発生してしまい、省エネルギー性が悪化してしまう（エネルギー効率が悪い）という問題点があった。
【００１４】
また、特許文献３に記載の空気調和機においては、熱交換器から本体筐体部の吹出口へ至る風路と、熱交換器からダクトを介して吹出ユニットの吹出口へ至る風路とが、室内熱交換器の下流側で並列配置となっている。このため、室内熱交換器で熱交換した空調空気の多くは、熱交換器からの距離が短く通風抵抗が低い本体筐体部の吹出口に流れ、長いダクトによって通風抵抗が高い風路となった吹出ユニットの吹出口の方へは、空調空気が流れづらくなってしまう。このため、特許文献３に記載の空気調和機は、部屋内における温度差が大きくなってしまい、快適性が悪い（部屋内を快適な環境にできない）という問題点があった。
【００１５】
本発明は、上記のような課題を解決するためになされたものであり、部屋内の快適性を向上でき、省エネルギー性が高く（エネルギー効率が高く）、低騒音な空気調和機を得ることを目的とする。
【課題を解決するための手段】
【００１６】
本発明に係る空気調和機は、略直方体形状をしており、下面側に吸込口が形成され、四方の側面に本体吹出口が形成され、部屋の天井に配置される室内機の本体筐体部と、該本体筐体部の内部に設けられた遠心ファンと、該遠心ファンを回転自在に駆動するファンモータと、前記本体筐体部の内部に設けられ、平面視において前記遠心ファンの外周を囲むように配置された室内熱交換器と、前記本体吹出口のそれぞれに設けられ、ダクトが接続される本体側ダクト接続部が突設されたジョイントと、前記ダクトが接続される吹出側ダクト接続部が設けられ、前記ダクトを介して前記本体側ダクト接続部のいずれかに接続されるものであり、下面側に吹出口が形成された複数の吹出ユニットと、を備え、前記ジョイントのうちの少なくとも１つは、複数の前記本体側ダクト接続部が形成されたものであり、前記本体筐体部の各側面には前記ジョイントを介して少なくとも１本の前記ダクトを接続することができ、前記本体筐体部全体としては少なくとも５本の前記ダクトを接続することができるものである。
【発明の効果】
【００１７】
本発明に係る空気調和機は、室内機の本体筐体部の全ての側壁にジョイントを介して少なくとも１本のダクトを接続できる構成となっているので、本体筐体部を部屋の中央部分に配置することができる。このため、部屋内の空気を良好に循環することができる。また、室内熱交換器が平面視において遠心ファン（例えばターボファン）を囲むように配置されているので、本体筐体部の各側壁のジョイントに接続されたダクトへ略均一に空調空気を分配することができる。つまり、任意の位置（例えば部屋の四方）に配置された各吹出ユニットへ略均一に空調空気を分配できる。また、本発明に係る空気調和機は、本体筐体部の少なくとも１つの側壁にジョイントを介して複数のダクトを接続することができるので、本体筐体部全体としては少なくとも５本のダクトを接続することができる。つまり、本発明に係る空気調和機は、従来よりも多くのダクトを本体筐体部に接続することができるので、従来よりも多くの吹出ユニットを天井に設けることができる。このため、本発明に係る空気調和機は、これら従来よりも多くの吹出ユニットの吹出口から、空調空気を部屋内へ供給することができる。また、本発明に係る空気調和機は、これら従来よりも多くの吹出ユニットの吹出口から空調空気を部屋内へ供給することができるので、本体筐体部に吹出口を設ける必要もない。したがって、本発明に係る空気調和機は、空調時における部屋内の温度ムラが解消され、快適性が向上する。
【００１８】
なお、室内熱交換器の端部には、室内熱交換器の冷媒配管同士を接続する接続配管（例えばＵ字状配管等）が配置されていることがある。また、室内熱交換器の端部には、室内熱交換器の冷媒配管と冷媒回路の他の構成（例えば、圧縮機、四方弁、絞り弁、室外熱交換器等）とを接続する接続配管が接続される。このため、実際には、平面視において遠心ファンの外周を囲むように室内熱交換器を配置しようとした場合、室内熱交換器の端部近傍では、平面視において遠心ファンの外周を囲めない範囲が形成される場合がある。しかしながら、本発明では、平面視において室内熱交換器の端部近傍に遠心ファンの外周を囲めない範囲が形成されている場合でも、「平面視において遠心ファンの外周を室内熱交換器が囲む」と表現する。
【００１９】
また、本発明に係る空気調和機は、上述のように、室内機の本体筐体部の全ての側壁にジョイントを介して少なくとも１本のダクトを接続できる構成となっている。このため、本発明に係る空気調和機においては、本体筐体部と吹出ユニットとをダクトで接続する際、ダクトの折り曲げ角度を９０°以内とすることができる。また、本発明に係る空気調和機は、本体筐体部を部屋の中央部分に配置することもできるので、各ダクトの長さを短くすることもできる。また、本発明に係る空気調和機は、上述のように、本体筐体部の少なくとも１つの側壁にジョイントを介して複数のダクトを接続することができるので、本体筐体部全体としては少なくとも５本のダクトを接続することができる。したがって、本発明に係る空気調和機は、従来よりも多くのダクトを本体筐体部に接続することができる。このため、本発明に係る空気調和機は、空調空気を吹出ユニットへ供給する際の通風抵抗を低減できるので、必要な送風量を維持するためにファンを回転自在に駆動するファンモータのトルクを低減でき、ファンモータの消費電力を低減できる。また、本発明に係る空気調和機は、本体筐体部に吹出口を設ける必要がないので、部屋内が空調しづらくなるショートサイクルの発生も防止できる。したがって、本発明に係る空気調和機は、省エネルギー性が高く（エネルギー効率が高く）、低騒音な空気調和機とすることができる。
【００２０】
つまり、本発明は、部屋内の快適性を向上でき、省エネルギー性が高く（エネルギー効率が高く）、低騒音な空気調和機を得ることができる。
【図面の簡単な説明】
【００２１】
【図１】、本発明の実施の形態に係る空気調和機の設置状態を部屋内から見たときの概要図（斜視図）である。
【００２２】
【図２】本発明の実施の形態に係る空気調和機の設置状態を天井裏から見たときの概要図（平面図）である。
【００２３】
【図３】図２のＺ−Ｚ位置における縦断面図である。
【００２４】
【図４】本発明の実施の形態に係る空気調和機の室内機の本体筐体部を遠心ファンの回転軸に直交する仮想平面で切断した横断面図である。
【００２５】
【図５】図４のＹ矢視図である。
【００２６】
【図６】本発明の実施の形態に係る空気調和機の冷媒回路図である。
【００２７】
【図７】本発明の実施の形態に係る空気調和機の別の一例における室内機の本体筐体部を遠心ファンの回転軸に直交する仮想平面で切断した横断面図である。
【００２８】
【図８】図７に示す空気調和機の冷媒回路図である。
【００２９】
【図９】本発明の実施の形態に係る空気調和機の室内機の本体筐体部をグリッド天井に設置した状態を示す側面図である。
【００３０】
【図１０】本発明の実施の形態に係る空気調和機の別の一例の設置状態を天井裏から見たときの概要図（平面図）である。
【発明を実施するための形態】
【００３１】
実施の形態．
以下、本発明の実施の形態に係る空気調和機について、図を用いて説明する。
【００３２】
図１は、本発明の実施の形態に係る空気調和機の設置状態を部屋内から見たときの概要図（斜視図）である。図２は、この空気調和機の設置状態を天井裏から見たときの概要図（平面図）である。図３は、図２のＺ−Ｚ位置における縦断面図である。図４は、この空気調和機の室内機の本体筐体部を遠心ファン（例えばターボファン）の回転軸に直交する仮想平面で切断した横断面図である。図５は、図４のＹ矢視図である。また、図８は、図６に示す空気調和機の冷媒回路図である。
【００３３】
本実施の形態に係る空気調和機１００の室内機５０は、部屋１７の天井裏１８に設けられるものである。また、室内機５０は、室内機５０の吸込口となる本体吸込口１０ｃと室内機５０の吹出口となる吹出口３０ａとが別々の筐体に形成され、これら筐体がダクトで接続されるものである。詳しくは、本体吸込口１０ｃは本体筐体部１０の本体下面１０ｅに形成されており、吹出口３０ａは吹出ユニット３０の下面側に形成されている。そして、本体筐体部１０と吹出ユニット３０とがダクト１９で接続されることにより、室内機は、本体筐体部１０の本体吸込口１０ｃから吸い込まれた空気を加熱又は冷却し、吹出ユニット３０の吹出口３０ａから空調空気を部屋１７内に吹き出すことができる。
【００３４】
このように構成された室内機５０の本体筐体部１０及び吹出ユニット３０は、部屋１７の天井裏１８において、例えば図１〜図３に示すように設けられる。つまり、本体筐体部１０は、部屋１７の中央寄りに設けられている。また、複数の吹出ユニット３０は、本体筐体部１０から所定距離だけ離れた位置に配置されている。このため、図１に示すように、室内機５０の吸込口となる本体吸込口１０ｃは、部屋１７の中央寄りで部屋１７に向かって開口している。また、室内機５０の吹出口となる複数の吹出口３０ａは、本体吸込口１０ｃから所定距離だけ離れた位置において、部屋１７に向かって開口している。なお、本実施の形態に係る室内機５０は、本体吸込口１０ｃと対向する位置に吸込グリル１１ａを備え、吹出口３０ａと対向する位置に吹出グリル３０ｂを備えている。このため、部屋１７内から天井面２０を観察すると、部屋１７の中央寄りに吸込グリル１１ａが設けられ、吸込グリル１１ａから所定距離だけ離れた位置に複数の吹出グリル３０ｂが設けられた状態となっている。
【００３５】
＜室内機５０の詳細構成＞
それでは、以下に、本実施の形態に係る室内機５０の詳細構成について説明する。
【００３６】
本体筐体部１０は、本体天面１０ａ、本体側面１０ｂ及び本体下面１０ｅにより、略直方体形状に形成されている。そして、本体下面１０ｅには例えば略矩形状の本体吸込口１０ｃが形成され、各本体側面１０ｂには例えば略矩形状の本体吹出口１０ｄが形成されている。また、本体下面１０ｅには、後述する室内熱交換器１６の下方となる位置に、凹溝状のドレン受け１０ｆが形成されている。また、本体下面１０ｅには、下方より、化粧パネル１１ｃが取り付けられている。この化粧パネル１１ｃには本体吸込口１０ｃと対向する範囲に開口部が形成されており、この開口部には吸込グリル１１ａが開閉可能に取り付けられている。吸込グリル１１ａと本体吸込口１０ｃの間にはフィルタ１２が設けられており、吸込グリル１１ａを開くことで、フィルタ１２の取り外しや清掃が可能となっている。
【００３７】
また、本体筐体部１０は、各本体側面１０ｂの本体吹出口１０ｄにジョイント２１が取り付けられている。これらジョイント２１における本体吹出口１０ｄとの接続部は、本体吹出口１０ｄの形状に対応して略矩形状に開口している。また、これらジョイント２１は、本体吹出口１０ｄとの接続部の反対側に、ダクト１９が接続される（換言すると、ダクト１９に挿入される）本体側ダクト接続部２１ａが２つ突設されている。つまり、本体側ダクト接続部２１ａのそれぞれには、ダクト１９を介して吹出ユニット３０が接続されている。本実施の形態では、円筒状のダクト１９の使用を想定しているので、本体側ダクト接続部２１ａは、ダクト１９の内周形状に対応して、その断面形状が略丸形状となっている。
【００３８】
なお、本実施の形態では本体筐体部１０とジョイント２１とを別体で構成しているが、ジョイント２１を本体筐体部１０と一体形成してもよい。
【００３９】
また、ジョイント２１には、ジョイント２１内での通風抵抗を抑制するための変形部２１ｂを有している。この変形部２１ｂは、本体吹出口１０ｄとの接続部から本体側ダクト接続部２１ａにかけて、断面が矩形状から円形状に徐々に変形しつつ断面積が縮小する形状となっている。
【００４０】
また、同一のジョイント２１に突設された複数の本体側ダクト接続部２１ａは、平面視において、隣り合う本体側ダクト接続部２１ａの先端部が互いに離れるように突出している。
【００４１】
このように、本実施の形態に係る空気調和機１００の室内機５０は、本体筐体部１０の全ての各本体側面１０ｂ（より詳しくは、各本体側面１０ｂの本体吹出口１０ｄ）にジョイント２１を介して少なくとも１本のダクト１９を接続できる構成となっているので、天井裏１８における本体筐体部１０の設置位置が限定されない。このため、図１及び図２に示すように、平面視において、本体筐体部１０を部屋１７の中央部分に配置することができる。したがって、図２に示すように、本実施の形態に係る空気調和機１００の室内機５０は、本体筐体部１０と吹出ユニット３０とをダクト１９で接続する際、ダクト１９の折り曲げ角度を９０°以内とすることができる。さらに、各ダクト１９の長さを短くすることもできる。また、本実施の形態に係る空気調和機１００の室内機５０は、本体筐体部１０の各本体側面１０ｂにジョイント２１を介して２本ずつのダクト１９を接続できるので、本体筐体部１０に従来よりも多い８本のダクト１９を接続することができる。
【００４２】
なお、本実施の形態では、本体筐体部１０の各本体側面１０ｂにジョイント２１を介して２本のダクト１９を接続する例、つまり、本体筐体部１０に合計で８本のダクト１９を接続する例を示したが、このダクト１９の本数は一例である。ダクト１９の内径及び本体側ダクト接続部２１ａの外径を変更することにより、ジョイント２１にさらに多くの本体側ダクト接続部２１ａを形成し、さらに多くのダクト１９を接続しても勿論よい。
【００４３】
図３及び図４に示すように、上述した本体筐体部１０の内部には、送風機である遠心ファン１、遠心ファン１を回転自在に駆動させるファンモータ１５、及び室内熱交換器１６等が設けられている。
【００４４】
遠心ファン１は、全体として略円筒形状に形成されており、主板２、複数枚の翼４及びシュラウド３を備えている。主板２は、平面視において略円形状をしており、略中心部が下方に突出した形状となっている。この下方に突出した部分の略中央には、ファンモータ１５のモータ回転軸１５ａが固定されるボス２ａが形成されている。複数の翼４は主板２の下面側に設けられ、これら翼４の下端部には、遠心ファン１の吸込み導風壁を形成するシュラウド３が設けられている。この遠心ファン１を回転自在に駆動させるファンモータ１５は、平面視において、本体筐体部１０の本体天面１０ａの略中央部に設けられている。このファンモータ１５は、モータ回転軸１５ａが下方に突出するように配置されており、上述のように、モータ回転軸１５ａが遠心ファン１のボス２ａに固定されている。つまり、遠心ファン１のファン吸込口１ａは、本体筐体部１０の本体吸込口と対向するように、遠心ファン１の下方に形成されることとなる。また、遠心ファン１のファン吹出口１ｂは、遠心ファン１の側面に形成されることとなる。
【００４５】
この遠心ファン１の上流側には、本体吸込口１０ｃと対向して、本体吸込口１０ｃから取り込んだ空気から塵埃を除去するフィルタ１２が設けられている。また、遠心ファン１の上流側には、フィルタ１２と遠心ファン１のファン吸込口１ａとの間に、フィルタ１２を通過した空気を遠心ファン１へ導くベルマウス１４が設けられている。
【００４６】
室内熱交換器１６は、平面視において遠心ファンを囲むように、ファン吹出口１ｂの下流側に設けられている。つまり、室内熱交換器１６は、平面視において、遠心ファン１と本体筐体部１０の本体側面１０ｂとの間に設けられている。本実施の形態では、室内熱交換器１６は、本体筐体部１０の本体側面１０ｂに沿うように形成され、平面視において略矩形状（略額縁形状）となっている。
【００４７】
なお、室内熱交換器１６の端部には、室内熱交換器１６の冷媒配管同士を接続する接続配管（例えばＵ字状配管等）が配置されていることがある。また、室内熱交換器１６の端部には、室内熱交換器１６の冷媒配管と冷媒回路の他の構成とを接続する接続配管（後述する接続配管１３ａ，１３ｂ）が接続される。このため、図４に示すように、平面視において遠心ファン１の外周を囲むように室内熱交換器１６を配置しようとした場合、室内熱交換器１６の端部近傍では、平面視において遠心ファン１の外周を囲めない範囲が形成される場合がある。しかしながら、本実施の形態では、平面視において室内熱交換器１６の端部近傍に遠心ファン１の外周を囲めない範囲が形成されている場合でも、「平面視において遠心ファン１の外周を室内熱交換器１６が囲む」と表現する。
【００４８】
この室内熱交換器１６には、接続配管１３ａ，１３ｂが接続されている。また、接続配管１３ａには、室内熱交換器１６に流入する、あるいは室内熱交換器１６から流出した冷媒を膨張させる絞り弁６が設けられている。そして、室内熱交換器１６は、例えば図６に示すように、接続配管１３ａ，１３ｂを介して屋外等に設けられた室外機６０と配管接続されている。詳しくは、室外機６０には、冷媒を圧縮する圧縮機６１、冷媒の流路切替装置である四方弁６２、及び室外熱交換器６３を備えている。圧縮機６１は、その吐出側及び吸入側が四方弁６２に接続されている。また、四方弁６２は、接続配管１３ｂを介して室内熱交換器１６とも接続されており、室外熱交換器６３とも接続されている。つまり、四方弁６２は、圧縮機６１の吐出側が室内熱交換器１６に接続される流路（換言すると、圧縮機６１の吸入側が室外熱交換器６３に接続される流路）と、圧縮機６１の吐出側が室外熱交換器６３に接続される流路（換言すると、圧縮機６１の吸入側が室内熱交換器１６に接続される流路）と、を切り替えられる構成となっている。また、室外熱交換器６３は、絞り弁６が設けられた接続配管１３ａを介して、室内熱交換器１６と接続されている。
【００４９】
なお、本実施の形態では絞り弁６が室内機５０内に設けられているが、絞り弁６を室外機６０に設けてもよい。
【００５０】
上述のように、この室内熱交換器１６の下部には、本体筐体部１０の本体下面１０ｅに形成されたドレン受け１０ｆが配置されている。室内熱交換器１６が蒸発器として機能する際、室内空気が室内熱交換器１６（より詳しくは、室内熱交換器１６内を流れる冷媒）によって冷却されると、室内空気中の水分が凝縮してドレン水が発生する。このドレン水は、ドレン受け１０ｆに貯留される。このため、本実施の形態では、ドレン受け１０ｆにドレンポンプ９を設け、ドレンポンプ９に排水管９ａの一端を接続している。また、ドレンポンプ９の他端は、部屋１７の外部まで延設されている。ドレンポンプ９を作動させて、ドレン受け１０ｆ内のドレン水を吸い上げることにより、ドレン受け１０ｆ内のドレン水は部屋１７の外部に排出される。
【００５１】
吹出ユニット３０は、例えば略直方体形状に形成されており、下面側には略長方形状の吹出口３０ａが形成されている。また、吹出ユニット３０の下面側には、上述のように、吹出口３０ａと対向して吹出グリル３０ｂが設けられている。そして、吹出ユニット３０の例えば上面側には、ダクト１９が接続される（換言すると、ダクト１９に挿入される）吹出側ダクト接続部３０ｃが突設されている。つまり、ダクト１９を本体側ダクト接続部２１ａ及び吹出側ダクト接続部３０ｃに接続することにより、本体筐体部１０と吹出ユニット３０とが連通する構成となっている。
【００５２】
上述のように、本実施の形態に係る空気調和機１００の室内機５０は、本体筐体部１０に従来よりも多い本数のダクト１９を接続することができる構成となっている。このため、本実施の形態に係る空気調和機１００の室内機５０は、従来よりも多くの吹出ユニット３０を天井裏１８に設けることができる。換言すると、本実施の形態に係る空気調和機１００の室内機５０は、平面視に任意の位置に配置できる吹出口３０ａを、従来よりも多く部屋１７へ設けることができる。
【００５３】
次に、上述のように構成された本体筐体部１０の天井裏１８への取り付け構成の一例について説明する。
【００５４】
図４及び図５に示すように、本体筐体部１０の各角部（つまり本体側面１０ｂどうしの接続部）には、取付金具５が設けられている。これら取付金具５には、側縁部にＵ字状の切り欠きが形成されている。図５に示すように、上階の床フレーム８の下面側に打たれたアンカーボルト７を取付金具５の切り欠きに挿入し、アンカーボルト７にねじ込まれたナットで取付金具５の上下面側をネジ締めすることにより、本体筐体部１０は天井裏１８に吊り下げ固定される。
【００５５】
＜動作説明＞
続いて、本実施の形態に係る空気調和機１００の動作について説明する。
【００５６】
まず、空気調和機１００における空調運転時（冷房運転時及び暖房運転時）の冷媒流れについて説明する。その後、空気調和機１００の室内機５０の空調運転時における空気の流れについて説明する。
【００５７】
上述のように、空気調和機１００は、例えば図６のように配管接続されている。そして、冷房運転時、空気調和機１００は、四方弁６２の流路が図６の実線で示す流路（圧縮機６１の吐出側が室外熱交換器６３に接続される流路）に設定される。つまり、圧縮機６１で高温高圧に圧縮されたガス状冷媒は、四方弁６２を介して、室外熱交換器６３に流入する。室外熱交換器６３に流入したガス状冷媒は、外気に冷却されて凝縮し、高圧の液状冷媒となる。この高圧の液状冷媒は、接続配管１３ａを介して室内機５０へ流入する。室内機５０へ流入した高圧の液状冷媒は、絞り弁６で減圧され、低温低圧の気液二相冷媒となって室内熱交換器１６へ流入する。室内熱交換器１６に流入した低温低圧の気液二相冷媒は、遠心ファン１から供給された室内空気を冷却して蒸発し、低圧のガス状冷媒となる。この低圧のガス状冷媒は、接続配管１３ｂを介して室外機６０へ流入する。室外機６０へ流入した低圧のガス状冷媒は、圧縮機６１によって再び高温高圧のガス状冷媒に圧縮される。
【００５８】
また、暖房運転時、空気調和機１００は、四方弁６２の流路が図６の破線で示す流路（圧縮機６１の吐出側が室内熱交換器１６に接続される流路）に設定される。そして、圧縮機６１で高温高圧に圧縮されたガス状冷媒は、四方弁６２及び接続配管１３ｂを介して、室内熱交換器１６に流入する。室内熱交換器１６に流入したガス状冷媒は、遠心ファン１から供給された室内空気を加熱して凝縮し、高圧の液状冷媒となる。この高圧の液状冷媒は、絞り弁６で減圧され、低温低圧の気液二相冷媒となる。この低温低圧の気液二相冷媒は、接続配管１３ａを介して室外機６０へ流入する。室外機６０へ流入した低温低圧の気液二相冷媒は、室外熱交換器６３へ流入する。室外熱交換器６３に流入した低温低圧の気液二相冷媒は、外気に加熱されて蒸発し、低圧のガス状冷媒となる。この低圧のガス状冷媒は、圧縮機６１によって再び高温高圧のガス状冷媒に圧縮される。
【００５９】
次に、空気調和機１００の室内機５０の空調運転時における空気の流れについて説明する。空調運転が開始されると、室内機５０の本体筐体部１０内に設けられたファンモータ１５が回転自在に駆動される。これにより、本体筐体部１０内に設けられた遠心ファン１は、図４に示すように、ファン回転軸中心Ｏ（換言すると、ファンモータ１５のモータ回転軸１５ａ）を中心として、矢印Ａの方向へ回転する。このように遠心ファン１の回転により、部屋１７の空気は、本体筐体部１０内へ吸い込まれる。より詳しくは、部屋１７の空気は、吸込グリル１１ａからフィルタ１２に流入し、フィルタ１２において塵埃が除去される。この塵埃が除去された空気は、本体吸込口１０ｃ及びベルマウス１４を通過後、ファン吸込口１ａから遠心ファン１に吸い込まれる。このとき、室内機５０は、本体吸込口１０ｃが平面視において部屋１７の略中央部に配置されているので、部屋１７の空気を良好に循環させることができる。
【００６０】
遠心ファン１に吸い込まれた空気は、ファン吹出口１ｂから室内熱交換器１６へ吹き出される。室内熱交換器１６へ吹き出された空気は、上述のように室内熱交換器１６を流れる冷媒によって冷却又は加熱され、空調空気となって本体吹出口１０ｄから本体筐体部１０を流出する。このとき、室内機５０は、室内熱交換器１６が平面視において遠心ファン１を囲むように配置されているので、本体筐体部１０の各本体側面１０ｂに形成された本体吹出口１０ｄへ略均一に空調空気を吹き出すことができる。
【００６１】
本体吹出口１０ｄから流出した空調空気は、ジョイント２１を介して各ダクト１９へ分配される。そして、各ダクト１９に分配された空調空気が各ダクト１９に接続された吹出ユニット３０の吹出口３０ａから部屋１７に吹き出されることにより、部屋１７の空調が行われる。このとき、ジョイント２１は、上述のように変形部２１ｂ（本体吹出口１０ｄとの接続部から本体側ダクト接続部２１ａにかけて、断面が矩形状から円形状に徐々に変形しつつ断面積が縮小する形状部分）を有している。このため、室内機５０は、空調空気の流路が本体吹出口１０ｄの大開口の略矩形状からダクト１９の断面円形状へ形状変化する際、圧損の増加を抑制することができる。また、上述のように、室内機５０は、本体筐体部１０の全ての本体側面１０ｂにジョイント２１を介して少なくとも１本のダクト１９を接続できる構成となっているので、ダクト１９の折り曲げ角度が９０°以内となっており、さらに、各ダクト１９の長さも短くなっている。このため、室内機５０は、空調空気を吹出ユニット３０へ供給する際の通風抵抗を低減できる。また、上述のように、本体筐体部１０の本体側面１０ｂにはジョイント２１を介して従来よりも多い８本のダクト１９が接続されている。このため、室内機５０は、空調空気を吹出ユニット３０へ供給する際の通風抵抗をさらに低減できる。また、室内機５０は、従来よりも多い８本のダクト１９が接続されているので、従来よりも多くの吹出ユニット３０の吹出口３０ａから、空調空気を部屋１７内へ供給することができる。
【００６２】
以上、本実施の形態のように構成された空気調和機１００においては、室内機５０の本体筐体部１０の全ての本体側面１０ｂにジョイント２１を介して少なくとも１本のダクト１９を接続できる構成となっているので、本体筐体部１０を部屋１７の中央部分に配置することができる。このため、部屋１７内の空気を良好に循環することができる。また、室内熱交換器１６が平面視において遠心ファン１を囲むように配置されているので、本体筐体部１０の各本体側面１０ｂにジョイント２１を介して接続されたダクト１９へ略均一に空調空気を分配することができる。つまり、任意の位置（例えば部屋の四方）に配置された各吹出ユニット３０へ略均一に空調空気を分配できる。また、本実施の形態に係る空気調和機１００は、本体筐体部１０にジョイント２１を介して従来よりも多い８本のダクト１９を接続することができるので、従来よりも多くの吹出ユニット３０を設けることができる。つまり、本実施の形態に係る空気調和機１００は、これら従来よりも多くの吹出ユニット３０の吹出口３０ａから、空調空気を部屋１７内へ供給することができる。したがって、本実施の形態に係る空気調和機１００は、空調時における部屋１７内の温度ムラが解消され、快適性が向上する。
【００６３】
また、本実施の形態に係る空気調和機１００は、上述のように、本体筐体部１０の全ての本体側面１０ｂにジョイント２１を介して少なくとも１本のダクト１９を接続できる構成となっている。このため、本実施の形態に係る空気調和機１００においては、本体筐体部１０と吹出ユニット３０とをダクト１９で接続する際、ダクト１９の折り曲げ角度を９０°以内とすることができる。また、本実施の形態に係る空気調和機１００は、本体筐体部１０を部屋１７の中央部分に配置することもできるので、各ダクト１９の長さを短くすることもできる。また、本実施の形態に係る空気調和機１００は、上述のように、本体筐体部１０の各本体側面１０ｂにジョイント２１を介して複数のダクト１９を接続することができるので、従来よりも多い８本のダクト１９を本体筐体部１０に接続することができる。このため、本実施の形態に係る空気調和機１００は、空調空気を吹出ユニット３０へ供給する際の通風抵抗を低減できるので、必要な送風量を維持するために遠心ファン１を回転自在に駆動するファンモータ１５のトルクを低減でき、ファンモータ１５の消費電力を低減できる。したがって、本実施の形態に係る空気調和機１００は、省エネルギー性が高く（エネルギー効率が高く）、低騒音な空気調和機とすることができる。
【００６４】
また、本実施の形態に係る空気調和機１００は、ジョイント２１に変形部２１ｂを有しているので、空調空気の流路が本体吹出口１０ｄの大開口の略矩形状からダクト１９の断面円形状へ形状変化する際、圧損の増加を抑制することができる。このため、本実施の形態に係る空気調和機１００は、さらに省エネルギー性が高い空気調和機とすることができる。
【００６５】
また、本実施の形態に係る空気調和機１００においては、同一のジョイント２１に突設された複数の本体側ダクト接続部２１ａは、平面視において、隣り合う本体側ダクト接続部２１ａの先端部が互いに離れるように突出している。このため、隣り合う本体側ダクト接続部２１ａにダクト１９を接続する際、ダクト１９同士がぶつかりづらくなるので、ダクト１９の取り回しがしやすい。したがって、本実施の形態に係る空気調和機１００を作業性の良い空気調和機とすることができる。
【００６６】
また、本実施の形態に係る空気調和機１００は、吹出ユニット３０を本体筐体部１０から所定距離だけ離れた位置に配置している。そして、本実施の形態に係る空気調和機１００は、従来よりも多くの吹出ユニット３０の吹出口３０ａから空調空気を部屋１７内へ供給することができるので、本体筐体部１０に吹出口を設ける必要もない。つまり、本実施の形態に係る空気調和機１００は、本体吸込口１０ｃの近傍に吹出口が配置されていない。このため、本実施の形態に係る空気調和機１００は、部屋１７内が空調しづらくなるショートサイクルの発生を防止できるので、部屋１７の空調の際に発生する無駄な消費電力を抑制でき、省エネルギー性が高い空気調和機とすることができる。
【００６７】
なお、本実施の形態では室内熱交換器１６を一体で形成したが、室内熱交換器１６を平面視において複数に分割された熱交換器で構成してもよい。例えば、図７に示すように、平面視で略Ｌ型の熱交換器１６ａと平面視で略逆Ｌ型の熱交換器１６ｂとで、平面視略矩形状の室内熱交換器１６を構成してもよい。また例えば、平面視略Ｉ型の４つの熱交換器を平面視で略矩形状に配置し、室内熱交換器１６を構成してもよい。このように室内熱交換器１６を平面視において複数に分割された熱交換器で構成することにより、１つの熱交換器を折り曲げて略矩形状に形成する場合に比べ、つまり一体型の室内熱交換器１６を製造するときに比べ、室内熱交換器１６の製造に必要なスペースを低減することができ、室内熱交換器１６を製造する際の作業性を向上させることができる。
【００６８】
また、室内熱交換器１６を平面視において複数に分割された熱交換器で構成する場合、複数の分割された熱交換器のそれぞれに絞り弁を接続してもよい。例えば、図７のように２つの熱交換器１６ａ，１６ｂで室内熱交換器１６が構成されている場合、例えば図８のように、冷媒回路を構成すればよい。つまり、熱交換器１６ａと室外熱交換器６３との間に絞り弁６ａを設け、熱交換器１６ｂと室外熱交換器６３との間に絞り弁６ｂを設ければよい。室内熱交換器１６を構成する複数の分割された熱交換器のそれぞれに絞り弁を接続することにより、室内熱交換器１６を構成する熱交換器のそれぞれの温度（より詳しくは、これら熱交換器のそれぞれに流れる冷媒の温度）を変更することができる。このため、吹出ユニット３０の吹出口３０ａから吹き出される空調空気を複数の温度とすることができ、部屋１７内の快適性が向上する。なお、図８では熱交換器１６ａ，１６ｂを並列に接続しているが、熱交換器１６ａ，１６ｂを直列に接続しても同様の効果を得ることができる。
【００６９】
また、部屋１７の天井がグリッド天井（吊り天井）の場合、室内機５０の本体筐体部１０を図９に示すように設置してもよい。グリッド天井は、縦×横のサイズが２ｆｔ×２ｆｔ（ツー・バイ・ツー、約６００ｍｍスクウェア）、４ｆｔ×４ｆｔ（フォー・バイ・フォー、約１３００ｍｍスクウェア）、及びツーバイフォー等の規格寸法に形成された天井の枠に天井材がはめ込まれて、天井面２０が形成されている。このため、部屋１７の天井がグリッド天井（吊り天井）の場合、化粧パネル１１ｃを天井材（つまり、天井材がはめ込まれる天井枠）と略同一寸法に形成することにより、化粧パネル１１ｃと天井面２０を略同一平面上に配置して、室内機５０の本体筐体部１０を天井裏１８に設置することができる。化粧パネル１１ｃと天井面２０を略同一平面上に配置することにより、部屋１７に化粧パネルが突出しないので、部屋１７にいる人が圧迫感を受けることがなく、部屋１７の居住快適性が向上する。
【００７０】
また、本実施の形態では天井裏１８に室内機５０を設置する例を示したが、部屋１７の天井に天井裏１８が無い場合、部屋１７の天井に室内機５０を露出させて設置しても勿論よい。
【００７１】
また、本実施の形態では、本体筐体部１０全体で８本のダクト１９が接続される室内機５０について説明したが、例えば図１０に示すように、本体筐体部１０全体で少なくとも５本のダクト１９を接続できれば本発明を実施することが可能である。つまり、本体筐体部１０の少なくとも１つの本体側面１０ｂにジョイント２１を介して２本のダクト１９を接続できれば、本体筐体部１０全体では従来よりも多い５本以上のダクト１９を接続できるので、上記と同様の効果を得ることができる。
【００７２】
また、本実施の形態では、複数の本体側ダクト接続部２１ａが突設されたジョイント２１を本体筐体部１０のどの本体側面１０ｂに設ければよいかについて特に言及しなかったが、例えば次のように、複数の本体側ダクト接続部２１ａが突設されたジョイント２１を設ければよい。例えば、部屋１７は、その平面視形状が正方形状ではなく長方形状となる場合がある。また、ビルや家屋の角部屋等では、部屋１７の平面視形状が正方形状や長方形状にならない場合もある。つまり、平面視において、部屋１７には、長い辺となる壁面と短い辺となる壁面が存在する場合がある。このような場合、天井裏１８には、平面視において長い辺となる部屋の壁面に沿って、複数の吹出ユニット３０が設けられることがある。例えば図１０では、平面視において最も長い辺となる部屋１７（換言すると天井裏１８）の壁面に沿って、２つの吹出ユニット３０が設けられている。平面視において長い辺となる部屋１７の壁面近傍では、１つの吹出ユニット３０から供給される空調空気だけでは当該壁面近傍の温度を快適に保てないことが懸念されるためである。このとき、図１０に示すように、平面視において最も長い辺となる部屋１７の壁面（つまり、近傍に２つの吹出ユニット３０が設けられる壁面）と対向する本体筐体部１０の本体側面１０ｂに、２つの本体側ダクト接続部２１ａが突設されたジョイント２１を設けるとよい。このように構成することにより、平面視において最も長い辺となる部屋１７の壁面近傍に設けられた吹出ユニット３０に接続されるダクト１９の長さを短くでき、これらダクト１９の折り曲げ角度を９０°以内にできる。つまり、空調空気を吹出ユニット３０へ供給する際の通風抵抗を低減できるので、省エネルギー性が高く（エネルギー効率が高く）、低騒音な室内機５０とすることができる。
【符号の説明】
【００７３】
１  遠心ファン、１ａ  ファン吸込口、１ｂ  ファン吹出口、２  主板、２ａ  ボス、３  シュラウド、４  翼、５  取付金具、６  絞り弁、６ａ，６ｂ  絞り弁、７  アンカーボルト、８  床フレーム、９  ドレンポンプ、９ａ  排水管、１０  本体筐体部、１０ａ  本体天面、１０ｂ  本体側面、１０ｃ  本体吸込口、１０ｄ  本体吹出口、１０ｅ  本体下面、１０ｆ  ドレン受け、１１ａ  吸込グリル、１１ｃ  化粧パネル、１２  フィルタ、１３ａ  接続配管、１３ｂ  接続配管、１４  ベルマウス、１５  ファンモータ、１５ａ  モータ回転軸、１６  室内熱交換器、１６ａ  Ｌ型熱交換器、１６ｂ  逆Ｌ型熱交換器、１７  部屋、１８  天井裏、１９  ダクト、２０  天井面、２１  ジョイント、２１ａ  本体側ダクト接続部、２１ｂ  変形部、３０  吹出ユニット、３０ａ  吹出口、３０ｂ  吹出グリル、３０ｃ  吹出側ダクト接続部、５０  室内機、６０  室外機、６１  圧縮機、６２  四方弁、６３  室外熱交換器、１００  空気調和機、Ａ  ファン回転方向、Ｏ  ファン回転軸中心。
【図１】
2015506450.tif 000003
【図２】
2015506450.tif 000004
【図３】
2015506450.tif 000005
【図４】
2015506450.tif 000006
【図５】
2015506450.tif 000007
【図６】
2015506450.tif 000008
【図７】
2015506450.tif 000009
【図８】
2015506450.tif 000010
【図９】
2015506450.tif 000011
【図１０】
2015506450.tif 000012
【手続補正書】
【提出日】平成26年8月6日(2014.8.6)
【手続補正１】
【補正対象書類名】明細書
【補正対象項目名】００１６
【補正方法】変更
【補正の内容】
【００１６】
部屋の天井に配置される室内機を有する空気調和機であって、略直方体形状をしており、下面側に本体吸込口が形成され、四方の側面に本体吹出口が形成された室内機の本体筐体部と、該本体筐体部の内部に設けられた遠心ファンと、該遠心ファンを回転自在に駆動するファンモータと、前記本体筐体部の内部に設けられ、平面視において前記遠心ファンの外周を実質的に囲むように配置された室内熱交換器と、前記本体吹出口のそれぞれに設けられ、ダクトが接続される本体側ダクト接続部が突設されたジョイントと、前記ダクトが接続される吹出側ダクト接続部が設けられ、前記ダクトを介して前記本体側ダクト接続部のいずれかに接続されるものであり、下面側に吹出口が形成された複数の吹出ユニットと、  を備え、前記ジョイントのうちの少なくとも１つは、複数の前記本体側ダクト接続部が形成されたものであり、前記本体筐体部の各側面には前記ジョイントを介して少なくとも１本の前記ダクトを接続することができ、前記本体筐体部全体としては少なくとも５本の前記ダクトを接続することができるものである。
【手続補正２】
【補正対象書類名】明細書
【補正対象項目名】００３２
【補正方法】変更
【補正の内容】
【００３２】
図１は、本発明の実施の形態に係る空気調和機の設置状態を部屋内から見たときの概要図（斜視図）である。図２は、この空気調和機の設置状態を天井裏から見たときの概要図（平面図）である。図３は、図２のＺ−Ｚ位置における縦断面図である。図４は、この空気調和機の室内機の本体筐体部を遠心ファン（例えばターボファン）の回転軸に直交する仮想平面で切断した横断面図である。図５は、図４のＹ矢視図である。また、図６は、本発明の実施の形態に係る空気調和機の冷媒回路図である。
【手続補正３】
【補正対象書類名】特許請求の範囲
【補正対象項目名】全文
【補正方法】変更
【補正の内容】
【特許請求の範囲】
【請求項１】
部屋の天井に配置される室内機を有する空気調和機であって、
略直方体形状をしており、下面側に本体吸込口が形成され、四方の側面に本体吹出口が形成された室内機の本体筐体部と、
該本体筐体部の内部に設けられた遠心ファンと、
該遠心ファンを回転自在に駆動するファンモータと、
前記本体筐体部の内部に設けられ、平面視において前記遠心ファンの外周を実質的に囲むように配置された室内熱交換器と、
前記本体吹出口のそれぞれに設けられ、ダクトが接続される本体側ダクト接続部が突設されたジョイントと、
前記ダクトが接続される吹出側ダクト接続部が設けられ、前記ダクトを介して前記本体側ダクト接続部のいずれかに接続されるものであり、下面側に吹出口が形成された複数の吹出ユニットと、
を備え、
前記ジョイントのうちの少なくとも１つは、複数の前記本体側ダクト接続部が形成されたものであり、
前記本体筐体部の各側面には前記ジョイントを介して少なくとも１本の前記ダクトを接続することができ、
前記本体筐体部全体としては少なくとも５本の前記ダクトを接続することができる空気調和機。
【請求項２】
同一の前記ジョイントに突設された複数の前記本体側ダクト接続部は、
平面視において、隣り合う前記本体側ダクト接続部の先端部が互いに離れるように突出した請求項１に記載の空気調和機。
【請求項３】
前記本体吹出口は、矩形状に開口し、
前記本体側ダクト接続部は、断面が丸形状となっており、
前記ジョイントは、前記本体吹出口との接続部から前記本体側ダクト接続部にかけて、矩形状から円形状に徐々に変形して断面積が縮小する変形部を有する請求項１または２に記載の空気調和機。
【請求項４】
前記室内熱交換器は、平面視において複数に分割された熱交換器によって構成された請求項１〜３のいずれか一項に記載の空気調和機。
【請求項５】
複数に分割された前記熱交換器のそれぞれに、前記熱交換器に流入する、あるいは前記熱交換器から流出した冷媒を膨張させる絞り弁を接続した請求項４に記載の空気調和機。
【請求項６】
請求項１〜５のいずれか一項に記載の空気調和機の設置構成であって、
前記本体筐体部を部屋の中央部分に設置し、
前記吹出ユニットを前記本体筐体部から離して設置し、
前記本体側ダクト接続部と前記吹出側ダクト接続部とを前記ダクトで接続した空気調和機の設置構成。
【請求項７】
前記空気調和機は、前記本体筐体部の前記本体吸込口と対向配置される吸込グリルを有する化粧パネルを更に備え、
前記天井がグリッド天井であり、
前記本体筐体部は、前記グリッド天井の天井裏に配置され、
前記化粧パネルは、前記グリッド天井の枠と略同一寸法で形成され、
前記化粧パネルの下面側と前記グリッド天井の下面側とが略同一平面上に配置された請求項６に記載の空気調和機の設置構成。
【請求項８】
請求項１〜５のいずれか一項に記載の空気調和機の設置構成であって、
複数の前記本体側ダクト接続部が形成された前記ジョイントは、平面視において最も長い辺となる部屋の壁面に対向する前記本体筐体部の側面の前記本体吹出口に、少なくとも設けられた空気調和機の設置構成。
【請求項９】
部屋の天井に配置される室内機を有する空気調和機であって、
略直方体形状をしており、下面側に本体吸込口が形成され、四方の側面に本体吹出口が形成された室内機の本体筐体部と、
該本体筐体部の内部に設けられた遠心ファンと、
該遠心ファンを回転自在に駆動するファンモータと、
前記本体筐体部の内部に設けられ、平面視において前記遠心ファンの外周を実質的に囲むように配置された室内熱交換器と、
を備えた空気調和機。
【国際調査報告】
2015506450.tif 000013
2015506450.tif 000014
2015506450.tif 000015